(57)【要約】      （修正有）【課題】浴室内の乾燥を後付けでも効果的に行うことができるものとする。【解決手段】浴室の天井板に開口する点検口の開閉用の点検口蓋に、浴室内に向けて送風する送風機を設ける。送風機は浴室内の空気を吸気して浴室内に向けて排気するものであることが好ましいが、フレキシブルダクトを通じて浴室外の空気を吸気して浴室内に向けて排気するものであってもよい。また、上記送風機は、浴室内の洗い場面と浴槽面のうち、洗い場面に向けて送風するものが好ましい。【選択図】図１
2015094532.tif 000002
【特許請求の範囲】
【請求項１】
浴室の天井板に開口する点検口の開閉用の点検口蓋に、浴室内に向けて送風する送風機を設けていることを特徴とする浴室用送風機。
【請求項２】
上記送風機は浴室内の空気を吸気して浴室内に向けて排気するものであることを特徴とする請求項１記載の浴室用送風機。
【請求項３】
上記送風機は、フレキシブルダクトを通じて浴室外の空気を吸気して浴室内に向けて排気するものであることを特徴とする請求項１記載の浴室用送風機。
【請求項４】
上記送風機は、浴室内の洗い場面と浴槽面のうち、洗い場面に向けて送風するものであることを特徴とする請求項１〜３のいずれか１項に記載の浴室用送風機。
【発明の詳細な説明】
【技術分野】
【０００１】
本発明は、浴室に設置する浴室用送風機に関するものである。
【背景技術】
【０００２】
住宅における浴室は黴が最も生えやすい場所であり、住宅に対するコンプレインで最も多いものの一つが黴である。この黴の発生を抑えるには、湿度を下げる・温度を下げる・栄養分を完全に無くす等の方策があるが、最も実現容易な方策は湿度を下げることである。
【０００３】
浴室の湿度を下げるために、一般に開放することができる窓を設ける、換気扇を設ける、暖房換気乾燥機を設けるといったことがなされている。しかし、これらには次のような問題点が存在する。
【０００４】
まず、開放することができる窓を設けることは、戸建て住宅では一般的であるが、風が無い時などは空気が滞留するために乾きにくいという問題がある。
【０００５】
窓がなかったり窓があっても開けられない場合（冬季や雨の日）には換気扇が主に用いられるが、換気扇だけでは浴室内の空気循環が少なく、乾くまで時間がかかる。
【０００６】
暖房換気乾燥機は特許文献１に示されているようにヒータで浴室内を暖めて水を蒸発させ、水分を多く含んだ暖かい空気を浴室外に排出するために、最も乾きが早い上に確実に湿度を下げることができる。しかし、設備費及び電力消費量が大きいというデメリットがある。
【０００７】
また、既存住宅で換気扇しかない浴室において、乾きが遅くて黴が発生してしまうという状況を改善する場合、暖房換気乾燥機を設置することになる。この場合、浴室の天井材をいったん外して暖房換気乾燥機用の開口を加工し、その後、暖房換気乾燥機の取り付けと天井材の再設置を行うという大がかりな工具が必要となってしまう。
【先行技術文献】
【特許文献】
【０００８】
【特許文献１】特開２００２−２０６７８２号公報
【発明の概要】
【発明が解決しようとする課題】
【０００９】
本発明は上記問題に鑑みてなされたもので、浴室内の乾燥を後付けでも効果的に行うことができる浴室用送風機を提供することを課題とする。
【課題を解決するための手段】
【００１０】
本発明にかかる浴室用送風機は、浴室の天井板に開口する点検口の開閉用の点検口蓋に、浴室内に向けて送風する送風機を設けていることに特徴を有している。
【００１１】
上記送風機は浴室内の空気を吸気して浴室内に向けて排気するものであることが好ましいが、フレキシブルダクトを通じて浴室外の空気を吸気して浴室内に向けて排気するものであってもよい。
【００１２】
また、上記送風機は、浴室内の洗い場面と浴槽面のうち、洗い場面に向けて送風するものが好ましい。
【発明の効果】
【００１３】
本発明は、点検口蓋に設けた送風機によって浴室内をより乾きやすい状態にすることができるものであり、しかも送風機は天井板にではなく、天井板に設けられた点検口を開閉する点検口蓋に設けていることから、大がかりな工事を必要とすることなく簡便に設置することができる上に、浴室設置後の後付けにも容易に対応することができる。
【図面の簡単な説明】
【００１４】
【図１】本発明の実施例の断面図である。
【図２】同上の底面図である。
【図３】浴室内の設置状態を示す斜視図である。
【発明を実施するための形態】
【００１５】
以下、本発明を図示の実施例に基づいて詳述すると、本発明に係る送風機５は、浴室１の天井に配したものである。ただし、この送風機５は、浴室１の天井板２に直接埋め込んだものではなく、天井板２に開口する点検口３を開閉する点検口蓋４に設けている。
【００１６】
図示例においては、点検口３が楕円形であるために、周縁が点検口３の開口縁にパッキン（図示せず）を介して載る点検口蓋４も平面形状が楕円形となっている。そして、点検口蓋４そのものは、上方に膨らんだものとして形成しているとともに、下面側にルーバー状のカバー６を着脱自在に備えている。
【００１７】
送風機５は、点検口蓋４の上面に配したモータ５１と、このモータ５１で回転駆動される軸流型のファン５２とからなり、点検口蓋４とカバー６との間の空間に位置するファン５２は、モータ５１によって回転駆動された時、カバー６の周部から浴室１内の空気を吸い込み、カバー６の中央部から下方へ空気を送り出す。図中６１はカバー６の上面側から上方に突出させた環状の仕切り壁であり、この仕切り壁６１は外周部の吸気路と内周側の排気路とを仕切っている。
【００１８】
なお、点検口蓋４におけるモータ５１の駆動軸の貫通部は、気密を保つものとして形成していることから、浴室１内の湿気が天井裏にまわることはない。
【００１９】
また、点検口３を本来の目的で使用する場合に備えて、点検口蓋４を押し上げて横にずらすことで、天井裏の点検を行うことができる。しかも、点検口蓋４の上面側のモータ５１及び下面側のカバー６を含む点検口蓋４の全厚みｈは、天井板２の上方のスペースの上下方向寸法である天井懐寸法Ｈの半分ほどとしている。
【００２０】
これは、点検口３を楕円形としていることと合わせて、送風機５を備える点検口蓋４を点検口３から下方（浴室１内）に抜き出すことができるようにするためである。モータ５１への電源線などは、点検口３を開いた状態で外したり接続したりできるようにしておく。これは、浴室１の設置後に、送風機５を備えた点検口蓋４を浴室１内から後付けで取り付けることができることにもなる。この後付けに際しては、照明などの電源線からの分岐接続で電源を確保すればよい。
【００２１】
点検口蓋４に設けた送風機５は、前述のように、浴室１内の空気を吸い込んで、浴室１内に送り出す。このために、浴室１内の空気は循環することになる。空気が動いていないと、水滴付近の空気の湿度が局所的にあがったままになってしまうが、上記循環風のために、浴室１内の洗い場１０やカウンター１１、タオル掛け１２に掛けたタオルなど、濡れた部分の空気が動く。このために、浴室１内は乾きやすくなる。夏場など、送風機５からの風で風呂上がりに洗い場１０で涼むこともできる。
【００２２】
浴室１に窓１３があれば窓１３を開放した状態で送風機５を運転するのが好ましいのはもちろんである。また、浴室１内の空気を屋外に送り出す換気扇１４があるときは、換気扇１４と送風機５とを併用するのが好ましい。いずれの場合も浴室１内の湿度をより早く下げることができる。
【００２３】
さらには、浴室１内の乾燥を促すという点では、送風機５は浴室１内の洗い場１０側に向けて送風することが好ましい。ちなみに点検口３は洗い場１０の上方に設けることから、直下に向けて送風すればよい。送風方向を変更することができるようにしたものも好適に用いることができる。
【００２４】
上記実施例では、浴室１内の空気を吸気して浴室１内に向けて排気するものを示したが、ダクト（図示せず）を通じて浴室外（屋外を含む）の空気を吸気して浴室１内に向けて排気するものであってもよい。ただし、ダクトには少なくとも送風機５近辺に関してフレキシブルダクトを用いることで、点検口蓋４をずらして点検口３を開放することができるようにしておく。
【００２５】
図示例の送風機５は、軸流ファンで示したが、クロスフローファンやシロッコファンを用いたものであってもよい。また、消費電力を抑えるために、ここでは送風機能のみを有する送風機５を示したが、ヒータを付加したもの、ペルチェ素子などを利用した除湿機能を付加したもの等を用いてもよい。
【００２６】
送風機５に代えて、ダウンライトやプロジェクター等の電気機器を点検口蓋４に装着してもよい。既存の浴室設備に簡便に機能付加リフォームを行うことができる。
【符号の説明】
【００２７】
１  浴室
２  天井板
３  点検口
４  点検口蓋
５  送風機
６  カバー
【図１】
2015094532.tif 000003
【図２】
2015094532.tif 000004
【図３】
2015094532.tif 000005